(57)【要約】【課題】ランプドアを取り外した状態においてユーザが指によってカラーホイールを誤って触ってしまうことがないように構成したプロジェクタを提供する。【解決手段】ユーザは、ランプドア８５を本体ケース８０から取り外すことにより、ランプユニット１０の交換などの作業を行なう。ランプドア８５を取り外すと、カラーホイール１５の側面に対向して形成された孔部８６がプロジェクタ１００の正面に出現する。そこで、カラーホイールカバー１６を、図４に示すように、ランプドア８５（孔部８６）とカラーホイール１５との間に、面状の保護部材２６が位置する形状としている。保護部材２６は、ユーザが孔部８６から指２００を入れてカラーホイール１５を誤って触ってしまうことを防ぐ。【選択図】図４
2007286099.tif 000002
【特許請求の範囲】
【請求項１】
本体ケースを構成するランプユニット交換用カバーを取り外して、該本体ケース内部に収納されているランプユニットを交換する構成のプロジェクタにおいて、
前記ランプユニットから放出された光から、異なる波長の光を時分割で取り出すカラーホイールと、
前記カラーホイールを保護するカラーホイールカバーと、を備え、
前記カラーホイールは、前記ランプユニット交換用カバー付近に取り付けられ、
前記カラーホイールカバーには、前記ランプユニット交換用カバーと前記カラーホイールとの間に、網面状の保護部材が形成されおり、
前記保護部材は、その端側を前記カラーホイールの方向に折り曲げた形状であり、且つ網目状であるプロジェクタ。
【請求項２】
本体ケースを構成するランプユニット交換用カバーを取り外して、該本体ケース内部に収納されているランプユニットを交換する構成のプロジェクタにおいて、
前記ランプユニットから放出された光から、異なる波長の光を時分割で取り出すカラーホイールと、
前記カラーホイールを保護するカラーホイールカバーと、を備え、
前記カラーホイールは、前記ランプユニット交換用カバー付近に取り付けられ、
前記カラーホイールカバーには、前記ランプユニット交換用カバーと前記カラーホイールとの間に、面状の保護部材が形成されているプロジェクタ。
【請求項３】
前記保護部材は、その端側を前記カラーホイールの方向に折り曲げた形状である請求項２に記載のプロジェクタ。
【請求項４】
前記保護部材は、網目状である請求項２又は３に記載のプロジェクタ。
【発明の詳細な説明】
【技術分野】
【０００１】
本発明は、装置本体の本体ケースに取り付けられたランプユニット交換用カバーを取り外し、ランプユニットを交換するプロジェクタに関するものである。
【背景技術】
【０００２】
従来、ディジタル・マイクロミラー・デバイス（ＤＭＤ）や、液晶表示デバイス等の画像表示デバイスに対してランプから光を出射して、この画像表示デバイスに表示させた画像をスクリーンに投影する方式のプロジェクタが普及しつつある。
【０００３】
このような従来のプロジェクタは、画像投射用のランプを内蔵するランプユニットと、ランプユニットから放出された光を透過することによって時分割で複数の異なる波長の光を取り出すカラーホイールと、装置本体の本体ケースと、を備える。
本体ケースには、ランプユニット交換用のランプドアが取り付けられている。ここで、カラーホイールは、ランプドアの付近に取り付けられており、ランプドアを取り外すと、プロジェクタ内部にあるカラーホイールが視認できる。
【０００４】
このような従来のプロジェクタにおいてランプユニットを交換する場合、ユーザは、ランプドアを取り外してからランプユニットの交換を行なっていた。
一方、特許文献１に記載されたようなプロジェクタが提案されている（特許文献１参照）。
【特許文献１】特開２００３−２８０１０５公報
【発明の開示】
【発明が解決しようとする課題】
【０００５】
従来のプロジェクタは、カラーホイールがランプドアの付近に取り付けられているため、ランプドアを取り外した状態で、ユーザが指によってカラーホイールを触ることが可能だった。さらに、ランプドアとカラーホイールの距離が近いため、ランプユニットを交換する際、ユーザは指によってカラーホイールを誤って触ってしまうことがあった。
上記のようにユーザがカラーホイールを触ると、カラーホイール表面に指紋がつき、表面が汚れてしまう。そのため、プロジェクタは正しく画像を投影できないという問題があった。また、カラーホイールを誤って触ってしまった場合、カラーホイールのエッジによってユーザが指を怪我するおそれがあった。
【０００６】
そこで、本発明はこのような従来の課題を解決しようとするものであり、ランプドアを取り外した状態においてユーザが指によってカラーホイールを誤って触ってしまうことがないように構成したプロジェクタを提供することを目的とする。
【課題を解決するための手段】
【０００７】
本発明のプロジェクタは、前記課題を解決するために以下の構成を備えている。
【０００８】
（１）本体ケースを構成するランプユニット交換用カバーを取り外して、該本体ケース内部に収納されているランプユニットを交換する構成のプロジェクタにおいて、
前記ランプユニットから放出された光から、異なる波長の光を時分割で取り出すカラーホイールと、
前記カラーホイールを保護するカラーホイールカバーと、を備え、
前記カラーホイールは、前記ランプユニット交換用カバー付近に取り付けられ、
前記カラーホイールカバーには、前記ランプユニット交換用カバーと前記カラーホイールとの間に、面状の保護部材が形成されている。
【０００９】
この構成では、ユーザがランプユニットを交換する場面を想定している。この場面において、ユーザは、ランプユニット交換用カバーを取り外してからランプユニットを交換する。カラーホイールは、ランプユニット交換用カバーの付近に取り付けられており、ランプユニット交換用カバーを取り外すと、プロジェクタ内部にあるカラーホイールが視認できる。そのため、従来のプロジェクタにおいて、ランプユニット交換用カバーを取り外した状態で、ユーザは指によってカラーホイールを触ることができた。
この構成においては、ランプユニット交換用カバーとカラーホイールとの間にカラーホイールカバーの保護部材を設けているので、保護部材によって、ユーザが指によってカラーホイールを誤って触ってしまうことを防ぐことができる。
以上より、カラーホイールに指紋がつき、カラーホイールの表面が汚れてしまうことを防止できる。また、ユーザが指を怪我することを防止できる。
なお、異なる波長の光とは、異なる色の光をいう。つまり、色が同色の波長であれば同じ波長とみなす。
【００１０】
（２）前記保護部材は、その端側を前記カラーホイールの方向に折り曲げた形状である。
【００１１】
上記（１）では、保護部材は、保護部材の面によってユーザの指がカラーホイールに接触することを防ぐが、この構成においては、保護部材は、保護部材の面とカラーホイールの方向に折り曲げた保護部材の端側とによってユーザの指がカラーホイールに接触することを防ぐ。具体的には、保護部材は、その端側が折り曲げた形状であるので、保護部材の正面方向だけでなく側方からも指が入れられることを防止する。
以上より、カラーホイールに指紋がつき、カラーホイールの表面が汚れてしまうことを一層防止できる。また、ユーザが指を怪我することを一層防止できる。
【００１２】
（３）前記保護部材は、網目状である。
【００１３】
この構成においては、保護部材は通気することができる。
上記（１）（２）では、カラーホイールカバーがカラーホイールを保護部材によって覆ってしまうので従来のプロジェクタと比べて通気性が悪くなるが、ここでは、その保護部材が網目状であるため通気性が上記（１）（２）と比べて改善する。
以上より、通気性を改善することができる。従って、本体ケース内部の温度上昇を抑えることができる。
【発明の効果】
【００１４】
この発明によれば、カラーホイールに指紋がつき、カラーホイールの表面が汚れてしまうことを防止できる。また、ユーザが指を怪我することを防止できる。従って、装置本体の信頼性の向上が図れる。
【発明を実施するための最良の形態】
【００１５】
以下、本発明の実施形態であるプロジェクタについて説明する。
【００１６】
図１は、本発明の実施形態であるプロジェクタの外観図である。図２は、本発明の実施形態であるプロジェクタ内部の概略構造を示した斜視図である。
図１に示すように、プロジェクタ１００の本体ケース（筐体）８０は、側板８０Ａ〜Ｄと、上板８０Ｅと、底板８０Ｆと、から構成される。また、側板８０Ａ及び底板８０Ｆの一部には、本体ケース８０から着脱可能なランプドア８５が取り付けられている。ここで、ランプドア８５、側板８０Ａ及び底板８０Ｆは別体である。つまり、ランプドア８５と側板８０Ａ、及びランプドア８５と底板８０Ｆは、二重の本体ケースとなっている。また、底板８０Ｆの一部には、ランプユニット１０の交換が可能な開口部８７が設けられている。
【００１７】
ユーザは、ランプドア８５を本体ケース８０から取り外すことにより、ランプユニット１０の交換などの作業を簡単に行なうことができる。
【００１８】
また、側板８０Ａは、カラーホイール１５の側面に対向して形成された孔部８６を有している（図１参照）。孔部８６は、本体ケース８０内の通気用として設けられている。ランプドア８５は、ランプドア８５を取り付けた状態で、カラーホイール１５の側面に対向する。
側板８０Ａには、投射レンズ３１が取り付けられている。側板８０Ｄには、吸気口８１，８２が形成されている。吸気口８１，８２は、外気を本体ケース８０の内部に取り込むためのものである。側板８０Ｂには、排気口８３，８４が形成されている。排気口８３，８４は、本体ケース８０内部の空気を排気するためのものである。
【００１９】
ここで、ランプドア８５及び本体ケース８０が、本発明の「本体ケース」に相当する。ランプドア８５が、本発明の「ランプユニット交換用カバー」に相当する。
【００２０】
図２に示すように、プロジェクタ１００は、カラーホイール１５と、カラーホイールカバー１６と、ランプユニット収納部２０と、画像投射ユニット３０と、投射レンズ３１と、電源基板４０と、電源基板４１と、制御基板５０と、吸気口８１，８２と、排気口８３，８４と、メインファン６０と、メインファン７０と、を備えている。これらは、本体ケース８０にそれぞれ取り付けられている。
【００２１】
ランプユニット収納部２０は、ランプユニット１０をその内部に収納する。ランプユニット１０は、光源である画像投射用のランプ１１を有している。ランプユニット１０は、そのランプ１１から光を出射する。
【００２２】
カラーホイール１５は、ランプドア８５の付近に取り付けられている。カラーホイール１５は、ランプユニット１０から出射された光から時分割でＲＧＢ（Red−Green−Blue）の各色光を取り出す。つまり、カラーホイール１５は、ランプユニット１０から出射された光から、異なる波長の光を時分割で取り出している。カラーホイール１５は、各色光を取り出すために回転する。カラーホイールカバー１６は、カラーホイール１５を保護する。
【００２３】
なお、この実施形態では、カラーホイール１５がＲＧＢの各色光を取り出しているが、ＲＧＢ色に限定する趣旨ではなく、その他の補色系の色を取り出しても良い。
【００２４】
画像投射ユニット３０は、ＤＭＤ等の画像表示デバイス（不図示）を備える。画像投射ユニット３０は、画像表示デバイスにて形成した画像を、ランプユニット１０から出射された光を用いて投射レンズ３１から本体ケース８０の外部へ投射して、画像を壁に掛けられたスクリーンなどに投影する。
【００２５】
電源基板４０，４１は、ランプユニット１０等に電源を供給する。制御基板５０は、画像投射ユニット３０が備える不図示のカラーホイールや画像表示デバイス等の動作を制御する。
【００２６】
メインファン６０，７０は、プロペラファンである。メインファン６０，７０は、本体ケース８０内の換気用のファンである。メインファン６０，７０は、吸気口８１，８２に対して取り付けられている。メインファン６０，７０は、吸気口８１，８２から外気を吸入し、排気口８３，８４から排気する。これにより、プロジェクタ１００の本体内部は空冷される。
なお、図２では、メインファン６０，７０による気流の方向を白矢印６１，７１で示している。
【００２７】
また、プロジェクタ１００は、ランプユニット１０の空冷用に吸気ファン９１及び排気口９６を備えている。吸気ファン９１は、メインファン６０，７０によって本体内部に送られた空気を吸い込んでランプユニット１０内に設けられたランプを冷却する。そして、排気口９６から排出された空気が、メインファン６０，７０によって本体外部へ排出される。
【００２８】
ここで、カラーホイール１５は、ランプドア８５の付近に取り付けられており、ランプドア８５を取り外すと、プロジェクタ１００内部にあるカラーホイール１５が視認できる。そのため、従来のプロジェクタにおいて、ランプドア８５を取り外した状態で、ユーザが指によってカラーホイール１５を触ることが可能だった。具体的には、ランプユニット１０を交換する際、ユーザは孔部８６から指を入れてカラーホイール１５を誤って触ってしまうことがあった。
【００２９】
そこで、本発明では、ランプユニット交換用カバーとカラーホイールとの間にカラーホイールカバーの保護部材を設けている。具体的には、以下のように構成している。
【００３０】
図３は、本発明の実施形態であるプロジェクタを図２の矢印１０１の方向下側から見た要部拡大斜視図である。図３（Ａ）は、ランプドア８５を取り付けた状態のプロジェクタ１００を図２の矢印１０１の方向下側から見た要部拡大斜視図である。図３（Ｂ）は、ランプドア８５を取り外した状態のプロジェクタ１００を図２の矢印１０１の方向下側から見た要部拡大斜視図である。図４は、本発明の実施形態であるプロジェクタにおいてランプドアを取り外した状態のプロジェクタを図２の矢印１０１の方向上側から見た要部拡大斜視図である。また、図３及び４では、プロジェクタ１００から上板８０Ｅなどを取り外した状態を表している。
【００３１】
ユーザは、図３（Ａ）に示すランプドア８５を本体ケース８０から取り外すことにより、ランプユニット１０の交換などの作業を行なう。ランプドア８５を取り外すと、プロジェクタ１００は図３（Ａ）から図３（Ｂ）の状態となり、カラーホイール１５の側面に対向して形成された孔部８６がプロジェクタ１００の正面に出現する。
【００３２】
そこで、カラーホイールカバー１６を、図３（Ｂ）及び図４に示すように、ランプドア８５（孔部８６）とカラーホイール１５との間に、面状の保護部材２６が位置する形状としている。保護部材２６は、ユーザが孔部８６から指２００を入れてカラーホイール１５を誤って触ってしまうことを防ぐ。
【００３３】
以上より、カラーホイール１５に指紋がつき、カラーホイール１５の表面が汚れてしまうことを防止できる。また、ユーザが指２００を怪我することを防止できる。従って、装置本体１００の信頼性の向上が図れる。
【００３４】
なお、側板８０Ａは、孔部８６の上にも存在するため（図４点線参照）、ユーザの指２００が側板８０Ａの上からカラーホイール１５に触れてしまうことはない。
【００３５】
また、本発明の実施形態は、以下の変形例を採用することができる。
【００３６】
（第１変形例）
図５は、本発明の実施形態の第１変形例であるプロジェクタにおいてランプドアを取り外した状態のプロジェクタを図２の矢印１０１の方向上側から見た要部拡大斜視図である。図５では、図４と同様に、上板８０Ｅなどを取り外している。
カラーホイールカバー１７の保護部材２７は、図５に示すように、その端側２７Ｂをカラーホイール１５の方向に折り曲げた形状とすることもできる。そして、保護部材２７は、保護部材２７の面２７Ａ及び端側２７Ｂによって、ユーザの指２００がカラーホイール１５に接触することを防ぐ。具体的には、保護部材２７は、その端側２７Ｂが折り曲げた形状であるので、保護部材２７の正面方向だけでなく側方からも指２００が入れられることを防止する。
以上より、カラーホイール１５に指紋がつき、カラーホイール１５の表面が汚れてしまうことを一層防止できる。また、ユーザが指２００を怪我することを一層防止できる。
【００３７】
（第２変形例）
図６は、本発明の実施形態の第２変形例であるプロジェクタにおいてランプドアを取り外した状態のプロジェクタを図２の矢印１０１の方向上側から見た要部拡大斜視図である。図６では、図４と同様に、上板８０Ｅなどを取り外している。
ここで、カラーホイールカバーの保護部材を設けることにより、本体ケース８０内部の通気性が悪くなる。
そこで、保護部材２８は、図６に示すように、網目状としている。そのため、保護部材２８は通気することができる。
以上より、通気性が図４のプロジェクタ１００と比べて改善する。従って、本体ケース８０内部の温度上昇を抑えることができる。
なお、図５に示した、保護部材２７の面２７Ａ及び端側２７Ｂを網目状にすることも可能である。
【図面の簡単な説明】
【００３８】
【図１】本発明の実施形態であるプロジェクタの外観図
【図２】本発明の実施形態であるプロジェクタ内部の概略構造を示した斜視図
【図３】本発明の実施形態であるプロジェクタを図２の矢印１０１の方向下側から見た要部拡大斜視図
【図４】本発明の実施形態であるプロジェクタにおいてランプドアを取り外した状態のプロジェクタを図２の矢印１０１の方向上側から見た要部拡大斜視図
【図５】本発明の実施形態の第１変形例であるプロジェクタにおいてランプドアを取り外した状態のプロジェクタを図２の矢印１０１の方向上側から見た要部拡大斜視図
【図６】本発明の実施形態の第２変形例であるプロジェクタにおいてランプドアを取り外した状態のプロジェクタを図２の矢印１０１の方向上側から見た要部拡大斜視図
【符号の説明】
【００３９】
１０−ランプユニット
１１−ランプ
１５−カラーホイール
１６−カラーホイールカバー
２０−ランプユニット収納部
２６−保護部材
２７−保護部材
２７Ａ−面
２７Ｂ−端側
２８−保護部材
３０−画像投射ユニット
３１−投射レンズ
４０、４１−電源基板
５０−制御基板
６０、７０−メインファン
８０Ａ〜Ｄ−側板
８０Ｅ−上板
８０Ｆ−底板
８０−本体ケース
８１、８２−吸気口
８３、８４−排気口
８５−ランプドア
８６−孔部
８７−開口部
９１−吸気ファン
９６−排気口
１００−プロジェクタ
２００−指
【図１】
2007286099.tif 000003
【図２】
2007286099.tif 000004
【図３】
2007286099.tif 000005
【図４】
2007286099.tif 000006
【図５】
2007286099.tif 000007
【図６】
2007286099.tif 000008